(57)【要約】【課題】簡単な構成で、且つ容易な施工により、既設の法面の排水処理能力を増大させることができる。【解決手段】法面Ｓの小段部Ｂに設けられている横方向排水溝２０Ａに受け入れられた雨水を縦方向排水溝２０Ｂに導いて法尻に排出する既設の排水設備に設けられる雨水排水システム１であって、横方向排水溝２０Ａに設けられ、横方向排水溝２０Ａ内を流れる雨水を一時貯留する集水枡２と、集水枡２内に設けられたサイフォン誘発器１０Ａと、上端部１１ａがサイフォン誘発器１０Ａに接続されるとともに、下端部１１ｂが法尻に位置する排水管１１と、を備えた構成の雨水排水システムを提供する。【選択図】図１
2018080566.tif 000002
【特許請求の範囲】
【請求項１】
法面の排水溝に受け入れられた雨水や路面上を流れる雨水を、前記法面に設けられた排水溝に導いて法尻に排出する既設の排水設備に設けられる雨水排水システムであって、
雨水を一時貯留する貯留部と、
前記貯留部内に設けられたサイフォン誘発器と、
上端部が前記サイフォン誘発器に接続されるとともに、下端部が法尻に位置する排水管と、
を備えていることを特徴とする雨水排水システム。
【請求項２】
法面の排水溝に受け入れられた雨水や路面上を流れる雨水を、前記法面に設けられた排水溝に導いて法尻に排出する既設の排水設備に設けられる雨水排水システムであって、
前記排水溝内を流れる雨水を一時貯留する貯留部と、
上端部が前記貯留部に接続されるとともに、下端部が法尻に位置し、途中部分に傾斜方向又は鉛直方向に向けて配置された封水発生部を有する排水管と、
前記封水発生部に設けられたサイフォン誘発器と、
を備えていることを特徴とする雨水排水システム。
【請求項３】
前記排水管のうち少なくとも一部が地中に埋設されていることを特徴とする請求項１又は２に記載の雨水排水システム。
【請求項４】
前記貯留部には、流入する雨水に混じる不要物を取り除くためのフィルタが設けられていることを特徴とする請求項１乃至３のいずれか１項に記載の雨水排水システム。
【請求項５】
前記貯留部、前記排水管及び前記サイフォン誘発器のうち少なくとも１つは、樹脂製であることを特徴とする請求項１乃至４のいずれか１項に記載の雨水排水システム。
【請求項６】
前記排水管は、耐光性を有する樹脂管路であることを特徴とする請求項１乃至５のいずれか１項に記載の雨水排水システム。
【発明の詳細な説明】
【技術分野】
【０００１】
本発明は雨水排水システムに係り、特に、法面における雨水を排水するものに関する。
【背景技術】
【０００２】
従来、道路建設や宅地造成などに伴う切土や盛土により形成される人工的な斜面である法面では、とくに法面が大型化した場合において、例えば特許文献１に示されるような雨水から法面を保護するための雨水排水システムが知られている。
【０００３】
上記特許文献１に示される雨水排水システムでは、法面の高さ方向をほぼ水平に区分する小段部が設けられるとともに、その小段部には横方向排水溝が設けられ、さらに、その横方向排水溝に交差するように縦方向排水溝が設けられている。したがって、横方向排水溝よりも上方に位置する法面に降り注いだ雨水はその横方向排水溝に受け入れられる。そして、受け入れられた雨水は、縦方向排水溝に導かれて法面の下方に位置する法尻に排出される。
【先行技術文献】
【特許文献】
【０００４】
【特許文献１】特開２０１６−１５６２７０号公報
【発明の概要】
【発明が解決しようとする課題】
【０００５】
しかしながら、上述した特許文献１に示される従来の雨水排水システムでは、いわゆる集中豪雨で極地的な大雨などの想定以上の雨が降った場合は、コンクリート製のＵ字溝からなる横方向排水溝や縦方向排水溝における排水処理能力を超えて溢れてしまい、法面に雨水が浸透してしまうおそれがあった。また、これら排水設備そのものの老朽化に伴う処理能力の低下によっても、法面に雨水が浸透してしまうおそれがあった。
【０００６】
そこで、上述の問題点を解決するために、法面排水設備の改修や、横方向排水溝及び縦方向排水溝の処理能力の増強を図るために、既設のものよりも大型のＵ字溝に取り替えることも考えられる。しかしながら、Ｕ字溝はコンクリート製の重量物であるので、材料搬入や施工が困難であり、作業効率が低下するという新たな課題が発生してしまう。しかも、新たな法面を施工する際には材料や施工機材の搬入用の道路などを容易に設けることができたが、改修工事にあたっては搬入用の道路を容易に設けられないケースが多く、その点で改善の余地があった。
【０００７】
そこで、本発明は、上記問題点に鑑みてなされたもので、簡単な構成で、且つ容易な施工により、既設の法面の排水処理能力を増大させることができる雨水排水システムを提供することを目的としている。
【課題を解決するための手段】
【０００８】
本発明に係る雨水排水システムは、上記目的を達成するために、法面の排水溝に受け入れられた雨水や路面上を流れる雨水を、前記法面に設けられた排水溝に導いて法尻に排出する既設の排水設備に設けられる雨水排水システムであって、雨水を一時貯留する貯留部と、前記貯留部内に設けられたサイフォン誘発器と、上端部が前記サイフォン誘発器に接続されるとともに、下端部が法尻に位置する排水管と、を備えていることを特徴としている。
【０００９】
本発明に係る雨水排水システムでは、雨水を一時貯留する貯留部に入れ、その貯留部内の雨水を、上端部がサイフォン誘発器に接続された排水管を用いてサイフォン作用により効率よく法尻に排水することができる。つまり、本発明では、サイフォン式の排水管内でサイフォン現象を発生させることにより、管内を自然流下させて排水するときよりも高流速にでき、かつ排水処理能力を増加させて効率よく排水することができる。これにより、豪雨の場合であっても法面の小段部に設けられている横方向排水溝から雨水が溢れ出ることがなく、雨水が法面に浸透することを効果的に抑制することができる。
【００１０】
また、本発明の雨水排水システムは、配管を主体とした簡単な構成であり、施工する際には従来のようなＵ字溝等の重量物を運搬する作業が不要となり、容易に、かつ低コストで施工を行うことができる。
さらに、本発明では、サイフォン式の排水管を採用することで、高流速、かつ排水処理量を増加できるので、排水管の口径を小さくできる利点もある。
【００１１】
また、本発明に係る雨水排水システムは、法面の排水溝に受け入れられた雨水や路面上を流れる雨水を、前記法面に設けられた排水溝に導いて法尻に排出する既設の排水設備に設けられる雨水排水システムであって、前記排水溝内を流れる雨水を一時貯留する貯留部と、上端部が前記貯留部に接続されるとともに、下端部が法尻に位置し、途中部分に傾斜方向又は鉛直方向に向けて配置された封水発生部を有する排水管と、前記封水発生部に設けられたサイフォン誘発器と、を備えていることを特徴としている。
【００１２】
本発明に係る雨水排水システムでは、雨水を上端部が貯留部に接続されるとともに途中部分の封水発生部にサイフォン誘発器を接続した排水管を用いてサイフォン作用により効率よく法尻に排水することができる。つまり、本発明では、サイフォン誘発器として、例えば排水管の封水発生部の内面に突起を設けたり、内面を縮径することによってサイフォン現象を起こすものを採用でき、このようなサイフォン式の排水管内でサイフォン現象を発生させることにより、管内を自然流下させて排水するときよりも高流速にでき、かつ排水処理能力を増加させて効率よく排水することができる。これにより、豪雨の場合であっても法面の小段部に設けられている横方向排水溝から雨水が溢れ出ることがなく、雨水が法面に浸透することを効果的に抑制することができる。
【００１３】
また、本発明の雨水排水システムは、配管を主体とした簡単な構成であり、施工する際には従来のようなＵ字溝等の重量物を運搬する作業が不要となり、容易に、かつ低コストで施工を行うことができる。
さらに、本発明では、サイフォン式の排水管を採用することで、高流速、かつ排水処理量を増加できるので、排水管の口径を小さくできる利点もある。
【００１４】
そして、本発明に係る雨水排水システムは、前記排水管のうち少なくとも一部が地中に埋設されていることを特徴としていてもよい。
【００１５】
本発明に係る雨水排水システムでは、排水管のうち傾斜方向又は鉛直方向に向けて配置される部分（封水発生部）における地上に配置される部分を少なくすることができるため、地上で封水発生部を支持する支持具やこの支持具を固定する基礎等の支持構造を簡単な構成とする、あるいは省略することができる。
また、本発明では、排水管の傾斜部分又は鉛直部分が埋設されるので、水平方向に埋設する場合に比べて掘削土量を削減することができる。
さらに、本発明では、埋設部分の排水管を紫外線から保護することでき、排水管の耐久性を向上させることが可能となる。
【００１６】
また、本発明に係る雨水排水システムは、前記貯留部には、流入する雨水に混じる不要物を取り除くためのフィルタが設けられていることが好ましい。
【００１７】
このような構成とすることで、貯留部の雨水がサイフォン誘発器に流入する前に、フィルタで雨水に混じる葉っぱ等の不要物を取り除くことができる。そのため、雨水のみがサイフォン誘発器に流れ込むので、サイフォン誘発器の詰まりを抑制することができ、安定的にサイフォンを誘発することができる。
【００１８】
また、本発明に係る雨水排水システムは、前記貯留部、前記排水管及び前記サイフォン誘発器のうち少なくとも１つは、樹脂製であることを特徴としている。
【００１９】
この場合には、貯留部、排水管及びサイフォン誘発器のうち少なくとも１つの部材が軽量な樹脂製であるから、施工性を向上させることができる。
【００２０】
さらに、本発明に係る雨水排水システムは、前記排水管は、耐光性を有する樹脂管路であることを特徴としていてもよい。
【００２１】
本発明に係る雨水排水システムでは、排水管を屋外で長期にわたって使用することが可能となり、排水管路を地表面に設置することができる。そのため、地中に埋設する場合に比べて法面における掘削作業を減らすことができ、施工を容易に行うことができる。
【発明の効果】
【００２２】
本発明の雨水排水システムによれば、簡単な構成で、且つ容易な施工により、既設の法面の排水処理能力を増大させることができる。
【図面の簡単な説明】
【００２３】
【図１】本発明の一実施の形態による雨水排水システムの模式図である。
【図２】本発明の他の実施の形態による雨水排水システムの模式図である。
【図３】図１の変形例による雨水排水システムの模式図である。
【図４】図２の変形例による雨水排水システムの模式図である。
【図５】本発明の第１の実施例による雨水排水システム概略構成図である。
【図６】図５に示すＸ１−Ｘ１線断面図である。
【図７】本発明の第２の実施例による雨水排水システム概略構成図である。
【図８】図７に示すＸ２−Ｘ２線断面図である。
【図９】本発明の第３の実施例による雨水排水システム概略構成図である。
【図１０】図９に示すＸ３−Ｘ３線断面図である。
【図１１】本発明の第４の実施例による雨水排水システム概略構成図である。
【図１２】本発明の第５の実施例による雨水排水システム概略構成図である。
【図１３】本発明の第６の実施例による雨水排水システム概略構成図である。
【図１４】図１３に示すＸ４−Ｘ４線断面図である。
【図１５】本発明の第７の実施例による雨水排水システム概略構成図である。
【発明を実施するための形態】
【００２４】
［本発明の一実施の形態による雨水排水システム］
以下、本発明の一実施の形態による雨水排水システムの実施の形態について、図１の模式図を用いて説明する。なお、具体的な実施例については後述する。
【００２５】
この一実施の形態による雨水排水システム１は、山の一部を切土して道路を設ける際に形成される法面Ｓに設置されている。
この法面Ｓには、高さ方向を複数段（図１では三段）に区分され、互いに高さ方向に所定の間隔を保って設けられた略水平の小段部Ｂが設けられている。
【００２６】
また、法面Ｓには、小段部Ｂのそれぞれにコンクリート製のＵ字溝からなる横方向排水溝２０Ａと、これら横方向排水溝２０Ａを上下方向に接続するコンクリート製のＵ字溝からなる縦方向排水溝２０Ｂと、を有する既設の排水設備が設けられている。
この既設の排水設備では、法尻（最下段）の小段部Ｂを除いた小段部Ｂに流れてきた雨水が横方向排水溝２０Ａに受け入れられて横方向にそれぞれ流れ、集水桝２（貯留部）を介して縦方向排水溝２０Ｂに流れ込むように構成されている。そして、縦方向排水溝２０Ｂに流れ込んだ雨水は落下し、法尻において法尻排水部（最下段の集水枡２）と合流して排出される。
【００２７】
雨水排水システム１は、最上段の小段部Ｂに位置する横方向排水溝２０Ａに設けられ、横方向排水溝２０Ａ内を流れる雨水を一時貯留する前記集水枡２と、集水枡２内に設けられたサイフォン誘発器１０Ａと、上端部１１ａがサイフォン誘発器１０Ａに接続されるとともに、下端部１１ｂが法尻の小段部Ｂに位置する横方向排水溝２０Ａ（集水枡２）に接続される排水管１１と、を備えている。これにより、最上段の小段部Ｂの横方向排水溝２０Ａに受け入れられた雨水が、集水枡２を介して上端部１１ａにサイフォン誘発器１０Ａを備えた排水管１１によって法尻まで排出できる。
【００２８】
サイフォン誘発器１０Ａを備えたサイフォン式の排水管１１は、管内でサイフォン現象を発生させることにより、管内を自然流下させて排水するときよりも高流速にでき、かつ排水処理能力を増加させて効率よく排水することができる。
これにより、豪雨の場合であっても法面Ｓの小段部Ｂに設けられている横方向排水溝２０Ａから雨水が溢れ出ることがなく、雨水が法面Ｓに浸透するのを効果的に抑制することができる。
【００２９】
このような本実施の形態の雨水排水システム１を採用することにより、最上段の小段部Ｂに位置する集水桝２内に流入する雨水の多くが排水管１１により法尻まで排水されるので、最上段に設けられる縦方向排水溝２０Ｂ内を流れる雨水の排水量は大幅に減少することになる。つまり、上から２段目の小段部Ｂの集水枡２には、主に横方向排水溝２０Ａに流れ込む雨水が流入されることとなり、最上段と上から２段目の小段部Ｂに配設される縦方向排水溝２０Ｂ内を流れる雨水が合流しないため、２段目の小段部Ｂから下方に延びる縦方向排水溝２０Ｂ内を流れる排水量が減少される。
なお、本実施の形態では最上段の小段部Ｂからの排水を示しているが、最上段から２段目、３段目など別の高さの小段部Ｂからの排水としてもよく、また、雨水排水システム１は同じ段もしくは、異なる段で複数連としてもよい。
【００３０】
また、本実施の形態の雨水排水システム１は、配管（排水管１１）を主体とした簡単な構成であり、施工する際には従来のようなＵ字溝等の重量物を運搬する作業が不要となり、容易に、かつ低コストで施工を行うことができる。
さらに、本実施の形態では、サイフォン式の排水管１１を採用することで、高流速、かつ排水処理量を増加できるので、排水管１１の口径を小さくできる利点もある。
【００３１】
［本発明の他の実施の形態に係る雨水排水システム］
図２は、本発明の他の実施の形態による雨水排水システム１Ｂの模式図を示している。この雨水排水システム１Ｂにおいて、図１を用いて説明した一の実施の形態による雨水排水システム１と異なる点は、図１では排水管１１の上端部１１ａにサイフォン誘発器１０Ａを備えているが、本雨水排水システム１Ｂでは、排水管１１の途中にサイフォン誘発器１０Ｂが備えられている。
【００３２】
雨水排水システム１Ｂは、最上段の小段部Ｂに位置する横方向排水溝２０Ａに設けられ、横方向排水溝２０Ａ内を流れる雨水を一時貯留する集水枡２と、上端部１１ａが集水枡２に接続されるとともに、下端部１１ｂが法尻の小段部Ｂに位置し、途中部分に傾斜方向又は鉛直方向（図２では傾斜方向が記載）に向けて配置された封水発生部１１Ａを有する排水管１１と、封水発生部１１Ａに設けられたサイフォン誘発器１０Ｂと、を備えている。
サイフォン誘発器１０Ｂとして、例えば排水管の封水発生部１１Ａの内面に突起を設けたり、封水発生部１１Ａの内面を縮径することによってサイフォン現象を起こす周知のサイフォン誘発器を採用できる。
このように、排水管１１の途中にサイフォン誘発器１０Ｂが備えられているときは、サイフォン誘発器１０Ｂが設けられている位置よりも上の排水管１１内の水を利用して効率よくサイフォンを誘発することができる。
【００３３】
本実施の形態の雨水排水システム１Ｂでは、法面Ｓの小段部Ｂに設けられている横方向排水溝２０Ａに受け入れられた雨水を、上端部１１ａが集水枡２に接続されるとともに途中部分の封水発生部１１Ａにサイフォン誘発器１０Ｂを接続した排水管１１を用いてサイフォン作用により効率よく法尻に排水することができる。つまり、本実施の形態では、サイフォン式の排水管１１内でサイフォン現象を発生させることにより、管内を自然流下させて排水するときよりも高流速にでき、かつ排水処理能力を増加させて効率よく排水することができる。これにより、豪雨の場合であっても法面Ｓの小段部Ｂに設けられている横方向排水溝２０Ａから雨水が溢れ出ることがなく、雨水が法面Ｓに浸透するのを効果的に抑制することができる。
【００３４】
［本発明の他の実施の形態に係る雨水排水システム］
図３は、図１に示す雨水排水システム１の他の実施の形態を示している。本実施の形態は、法面Ｓの最上部に路面Ｃが配置され、法尻に側道Ｄが配置された法面Ｓに雨水排水システム１を適用した一例である。路面Ｃには、法面Ｓ側に上端部１１ａにサイフォン誘発器１０Ａを備えた排水管１１及び縦方向排水溝２０Ｂに接続され、集水枡２が設けられている。排水管１１の上端部１１ａは、地中に埋設され、サイフォン誘発器１０Ａを介して上向きに延びて集水枡２の底面に接続されている。
路面Ｃは、集水枡２に雨水が流れ込むように傾斜している。側道Ｄには、法尻の横方向排水溝２０Ａが設けられている。本実施の形態の場合も、路面Ｃ上を流れる雨水は、集水枡２を介して上端部１１ａにサイフォン誘発器１０Ａを備えた排水管１１のサイフォン作用により効率よく法尻に排水される。
【００３５】
また、図４は、図２に示す雨水排水システム１Ｂの他の実施の形態を示している。本実施の形態は、法面Ｓの最上部に路面Ｃが配置され、法尻に側道Ｄが配置された法面Ｓに雨水排水システム１を適用した一例である。路面Ｃには、法面Ｓ側に上端部１１ａにサイフォン誘発器１０Ｂを備えた排水管１１及び縦方向排水溝２０Ｂに接続され、集水枡２が設けられている。排水管１１のサイフォン誘発器１０Ｂの上方に位置する上端部１１ａは、地中に埋設され、上向きに延びて集水枡２の底面に接続されている。
路面Ｃは、集水枡２に雨水が流れ込むように傾斜している。側道Ｄには、法尻の横方向排水溝２０Ａが設けられている。本実施の形態の場合も、路面Ｃ上を流れる雨水は、集水枡２を介して上端部１１ａにサイフォン誘発器１０Ｂを備えた排水管１１のサイフォン作用により効率よく法尻に排水される。
【００３６】
（第１の実施例）
以下、図１に示される一実施の形態による雨水排水システム１を具体化した第１の実施例について、図５及び図６を用いて説明する。
【００３７】
小段部Ｂは、法面Ｓの高さ方向をほぼ水平に区分するように設けられていて、上述した図１の最上段の小段部Ｂに相当している。この小段部Ｂには、周知の小段部に設けられていると同様のコンクリート製のＵ字溝からなる上部開口の横方向排水溝２０Ａが設けられている。
【００３８】
集水桝２は、耐光性の合成樹脂製からなり、横方向排水溝２０Ａと、横方向排水溝２０Ａの下流側でこの横方向排水溝２０Ａに交差する図示しない縦方向排水溝（図１参照）との合流点に設けられている。
集水桝２の底面２ａは、横方向排水溝２０Ａの底面２０ａの位置よりも低く設定されている。また集水枡２は、横方向排水溝２０Ａの内部と集水桝２の内部とが連通していて、当該小段部Ｂに接続される縦方向排水溝２０Ｂ側に雨水が流れないように堰き止められている。
【００３９】
図６に示すように、集水枡２に雨水を流入させる上流側の横方向排水溝２０Ａに対して集水枡２を挟んで反対側に設けられる下流側の横方向排水溝２０Ａは、当該集水枡２から離れる方向に下り勾配となっており、当該集水枡２に雨水が流れ込まないようになっている。この下流側の横方向排水溝２０Ａの内面には、集水枡２寄りの位置において集水桝２内の水位を高めるための堰３が設けられている。
【００４０】
集水枡２には、流入する雨水に混じる不要物を取り除くためのフィルタ４が設けられている。フィルタ４は、バースクリーン等の透水性部材からなり、落ち葉等の固形物を分離できるように構成され、集水桝２の上流側、すなわち横方向排水溝２０Ａから集水桝２に雨水が流入する側に設けられている。
なお、集水枡２は樹脂製であることが好ましいが、樹脂製でなくコンクリート製であってもかまわない。
【００４１】
サイフォン誘発器１０Ａは、樹脂製からなり、集水桝２の底面２ａから上方へ少し突出するように設けられている。サイフォン誘発器１０Ａは、周知のサイフォン誘発器と同様に、封水されたときに排水管１１にサイフォンを誘発させることができるように構成されている。すなわち、サイフォン誘発器１０Ａは、サイフォン誘発器１０Ａの上面より一定以上の水位が生じたとき、このサイフォン誘発器１０Ａに連なる排水管１１の上端部１１ａ内が水で満たされて、排水管１１にサイフォンを発生させることができる。
なお、サイフォン誘発器１０Ａは、樹脂製であることに限定されず、金属製等の部材であってもよい。
【００４２】
排水管１１は、耐光性の樹脂管からなり、上端部１１ａがサイフォン誘発器１０Ａに接続され、その下端部１１ｂが法尻に位置するように構成されている（図１参照）。排水管１１の上端部１１ａから途中部分までは地中に埋設され、途中部分から法面Ｓ上に配設され、その地上部分の排水管１１が支持具１２により支持されている。
【００４３】
ここで、耐光性の排水管１１として、例えば、耐光性塩ビ管、黒顔料を配合したＰＥ樹脂管等や、耐光性樹脂を外層に被覆した樹脂管路を使用できる。
また、排水管１１に耐光性樹脂を外層に被覆した樹脂管路として、例えば、ＡＥＳを被覆した塩ビ管、耐光性塩ビを被覆した塩ビ管、耐光性塗料を塗布した塩ビ管、黒顔料を配合したＰＥ樹脂を皮膚したＰＥ管、耐光性塗料を塗布した強化プラスチック管等が挙げられる。
【００４４】
本第１の実施例の雨水排水システム１では、降雨の時、最上段の小段部Ｂに設けられている横方向排水溝２０Ａには、小段部Ｂの上側に位置する法面Ｓ及びその法面Ｓの上方に連なる山側から雨水が流れ込むこととなる。そして、横方向排水溝２０Ａに流れ込んだ雨水は、フィルタ４を介して集水桝２に受け入れられとともに、堰３により集水桝２の水位が上昇することとなる。これにより、サイフォン誘発器１０は、フィルタ４で処理され、かつ堰３によって貯留された水位の雨水により安定的にサイフォンを誘発することとなる。したがって、集水桝２に受け入れられた雨水は、サイフォン効果を有する排水管１１により法尻まで効率よく排出される。
そして、豪雨が降っても最上段の小段部Ｂに設けられている横方向排水溝２０Ａから溢れ出ることがなく、雨水が法面Ｓに浸透するのを効果的に抑制することができる。
【００４５】
また、本第１の実施例では、集水枡２の雨水がサイフォン誘発器１０Ａに流入する前に、フィルタ４で雨水に混じる葉っぱ等の不要物を取り除くことができる。そのため、雨水のみがサイフォン誘発器１０Ａに流れ込むので、サイフォン誘発器１０Ａの詰まりを抑制することができ、安定的にサイフォンを誘発することができる。
なお、上記構成からなる雨水排水システム１では、仮に上記不要物がサイフォン誘発器１０Ａを通過して排水管１１内に流入しても、サイフォン式の排水管１１の管内を流れる雨水は高流速となるので、管内の詰まりを防止することができる。しかも、このサイフォン式の排水管１１は、集水桝２および横方向排水溝２０Ａの水位が低下するとサイフォンが途切れ、再び水位が上昇するとサイフォン式の排水が開始するというように、集水桝２、横方向排水溝２０Ａおよび排水管１１内を流れる雨水は脈動を呈するから、集水桝２、横方向排水溝２０Ａおよび排水管１１内における異物の詰まりをより効果的に防止することができる。
【００４６】
さらにまた、本実施例では、排水管１１を耐光性の樹脂管とすることで、屋外で長期にわたって使用することが可能となり、排水管路を地表面に設置することができる。そのため、地中に埋設する場合に比べて法面Ｓにおける掘削作業を減らすことができ、施工を容易に行うことができる。
【００４７】
（第２の実施例）
次に、図１に示される本発明の一実施の形態による雨水排水システム１を具体化した第２の実施例について、図７及び図８を用いて説明する。
【００４８】
第２の実施例による雨水排水システム１Ａは、上記第１の実施例による雨水排水システム１の集水桝２の形状と異なる形状の集水桝２１（貯留部）を用いている点を除いては同一に構成されている。
【００４９】
第２の実施例に雨水排水システム１Ａの集水桝２１の底面２１ａの位置が横方向排水溝２０Ａの底面２０ａの位置とほぼ等しく、かつ雨水が溜まる部分が横方向排水溝２０Ａの前方（図７において横方向排水溝２０Ａの左側）に位置するように構成されている。そして、集水桝２１の底面２１ａには、上述した第１の実施例の雨水排水システム１と同様のサイフォン誘発器１０Ａが設けられている。
【００５０】
本第２の実施例の雨水排水システム１Ａでは、集水桝２１の底面２１ａの位置が横方向排水溝２０Ａの底面２０ａの位置とほぼ等しい高さになっているので、集水桝２１の施工をより容易に行うことができる。
その他、本第２の実施例の雨水排水システム１Ａにおける雨水の排水作用及びその効果は、上述した第１の実施例の雨水排水システム１と同様であるので、これ以上の説明は省略する。
【００５１】
（第３の実施例）
以下、図２に示される本発明の他の実施の形態による雨水排水システム１Ｂを具体化した実施例について図９及び図１０を用いて説明する。
なお、以下の実施例の説明において、上述した実施例の構成要素と同一構成要素には同一符号を付し、その構成要素についての詳細な説明は省略する。
【００５２】
第３の実施例による雨水排水システム１Ｃに採用される排水管１１は、封水発生部１１Ａが鉛直部１１ｃを形成するとともに、鉛直部１１ｃの下端側にサイフォン誘発器１０Ｂを備えている。また、排水管１１の上端部１１ａは、集水桝２の側面２ｂに設けられていて、その集水桝２内の雨水を排水管１１内に導けるように構成されている。
【００５３】
排水管１１の鉛直部１１ｃの下端側に設けられるサイフォン誘発器１０Ｂは、周知のサイフォン誘発器からなり、例えばベンチュリ部を備えていて水頭を発生させてサイフォンを誘発させるようなものを採用することができる。
【００５４】
第３の実施例による雨水排水システム１Ｃは、排水管１１の鉛直部１１ｃでサイフォンを誘発させるようにしているので、排水管１１が効率よくサイフォン管となって雨水の排出を効率よく行うことができる。したがって、上述した実施例の雨水排水システムと同様の作用・効果を得ることができる。
【００５５】
（第４の実施例）
図１１に示される第４の実施例の雨水排水システム１Ｄにおいては、排水管１１のうち、上述の第３の実施例に示されるサイフォン誘発器１０Ｂを備えた鉛直部１１ｃの部分が、全体にわたって地中に埋設された構成となっている。
【００５６】
このように排水管１１の鉛直部１１ｃが完全に地中に埋設されたときは、サイフォン誘発器１０Ｂを保護できるとともに、埋設された排水管１１の部分を紫外線から保護することが可能となる。
本第４の実施例による雨水排水システム１Ｄにおいても、排水管１１がサイフォン作用により雨水の排出を効率よく行うことができるので、上述した実施例の雨水排水システムと同様の作用・効果を得ることができる。
【００５７】
（第５の実施例）
図１２に示される第５の実施例の雨水排水システム１Ｅは、排水管１１のうち、上述の第３の実施例（図９参照）に示されるサイフォン誘発器１０Ｂを備えた鉛直部１１ｃの部分の全体が地上部分に露出する構成となっている。すなわち、排水管１１のサイフォン誘発器１０Ｂを備えた鉛直部１１ｃの部分は、長尺の支持具１２Ａによって支持されて地上に設置されている。
【００５８】
この場合、排水管１１の鉛直部１１ｃが地上に露出するように設置されているので、サイフォン誘発器１０Ｂの保守点検を容易に行うことが可能となる。
この第５の実施例による雨水排水システム１Ｅにおいても、排水管１１がサイフォン作用により雨水の排出を効率よく行うことができるので、上述した実施例の雨水排水システムと同様の作用・効果を得ることができる。
【００５９】
（第６の実施例）
図１３及び図１４に示される第６の実施例の雨水排水システム１Ｆにおいては、排水管１１の鉛直部１１ｃのうち、サイフォン誘発器１０Ｂを備えた鉛直部１１ｃの一部のみが地中に埋設するようにした構成となっている。
また、排水管１１の上端部１１ａが横方向排水溝２０Ａを構成するコンクリート製のＵ字溝の側壁に貫通して設けられている。つまり、本第６の実施例の雨水排水システム１Ｆでは、横方向排水溝２０Ａに堰３を設けて貯留部５を形成し、この貯留部５に溜まった雨水が排水管１１内に流入するようになっている。
【００６０】
このように排水管１１の鉛直部１１ｃの下部部分が地中に埋設されたときは、上述した第５の実施例の支持具１２Ａを省略することができる。また、本実施例のように排水管１１の上端部１１ａをＵ字溝の側壁に貫通して設けたときは、集水桝を省略することが可能となる。
第６の実施例による雨水排水システム１Ｆにおいても、排水管１１がサイフォン作用により雨水の排出を効率よく行うことができるので、上述した実施例の雨水排水システムと同様の作用・効果を得ることができる。
【００６１】
（第７の実施例）
図１５に示される第７の実施例の雨水排水システム１Ｇにおいては、上述した第３の実施例〜第６の実施例に示される排水管１１のサイフォン誘発器１０Ｂを備えた鉛直部１１ｃに代えて傾斜部１１ｄ（封水発生部）とし、この部分を地中に埋設した構成となっている。
【００６２】
傾斜部１１ｄの傾斜は、サイフォン誘発器１０Ｂ上の水頭が得やすいように鉛直（９０°）に近いほど好ましいが、傾斜があっても、法面と近い傾斜であれば排水管の設置がしやすい。図１５では、傾斜部１１ｄが４５°になっている。
【００６３】
排水管１１のサイフォン誘発器１０Ｂを備えた部分を傾斜部１１ｄにするとともに、地中に埋設したときは、サイフォン誘発器１０Ｂを保護できるとともに、排水管１１を紫外線から保護することが可能となる。
第７の実施例による雨水排水システム１Ｇにおいても、排水管１１がサイフォン作用により雨水の排出を効率よく行うことができるので、上述した実施例の雨水排水システムと同様の作用・効果を得ることができる。
【００６４】
以上、本発明による雨水排水システムの実施の形態について説明したが、本発明は上記の実施の形態に限定されるものではなく、その趣旨を逸脱しない範囲で適宜変更可能である。
例えば、上述の例では、最上段の小段部Ｂの横方向排水溝２０Ａにサイフォン作用を有する排水管１１の上端部１１ａを接続しているが、この位置に限定されることはなく、上から２段目、３段目等、他の小段部Ｂに排水管１１の上端部１１ａを接続することも可能である。
【００６５】
また、集水桝２、２１の形状、大きさ、サイフォン誘発器１０Ａ、１０Ｂの位置、構成等も上述した実施の形態に限定されることはなく、適宜設定することができる。
さらに、本発明の雨水排水システムを適用する法面は、道路に設置されるものに限らず、鉄道などの用途の法面であってもかまわない。
【００６６】
その他、本発明の趣旨を逸脱しない範囲で、上記した実施の形態における構成要素を周知の構成要素に置き換えることは適宜可能である。
【符号の説明】
【００６７】
１、１Ａ〜１Ｇ  雨水排水システム
２、２１  集水桝（貯留部）
３  堰
４  フィルタ
５  貯留部
１０Ａ、１０Ｂ  サイフォン誘発器
１１  排水管
１１ａ  上端部
１１ｂ  下端部
１１ｃ  鉛直部
１１ｄ  傾斜部
１２、１２Ａ  支持具
２０Ａ  横方向排水溝
２０Ｂ  縦方向排水溝
Ｓ  法面
Ｂ  小段部
Ｃ  路面
Ｄ  側道
【図１】
2018080566.tif 000003
【図２】
2018080566.tif 000004
【図３】
2018080566.tif 000005
【図４】
2018080566.tif 000006
【図５】
2018080566.tif 000007
【図６】
2018080566.tif 000008
【図７】
2018080566.tif 000009
【図８】
2018080566.tif 000010
【図９】
2018080566.tif 000011
【図１０】
2018080566.tif 000012
【図１１】
2018080566.tif 000013
【図１２】
2018080566.tif 000014
【図１３】
2018080566.tif 000015
【図１４】
2018080566.tif 000016
【図１５】
2018080566.tif 000017